(57)【要約】【課題】情報記録媒体の交換性による利点を保ちながらネットワーク障害などを引き起こすことなくネットワークを介して放送番組の録画を行うことのできるビデオレコーダを提供する。【解決手段】本発明の、ビデオレコーダは、ネットワークに接続可能なビデオレコーダであって、放送番組の録画予約情報を管理する予約管理部３、交換可能な情報記録媒体に記録を行う記録ドライブであって、放送番組のデータを情報記録媒体に記録する記録ドライブと、予約管理部および記録ドライブを制御するコントローラとを備え、コントローラは、記録ドライブに情報記録媒体が装填されており、放送番組のデータを記録ドライブが記録を行うよう設定されている場合には、記録ドライブへネットワークを介して他の機器がアクセスするのを禁止する。【選択図】図１
2005149700.tif 000002
【特許請求の範囲】
【請求項１】
ネットワークに接続可能なビデオレコーダであって、
放送番組の録画予約情報を管理する予約管理部と、
交換可能な情報記録媒体に記録を行う記録ドライブであって、前記放送番組のデータを前記情報記録媒体に記録する記録ドライブと、
前記予約管理部および前記記録ドライブを制御するコントローラと、
を備え、
前記コントローラは、前記記録ドライブに前記情報記録媒体が装填されており、前記放送番組のデータを前記記録ドライブが記録を行うよう設定されている場合には、前記記録ドライブへネットワークを介して他の機器がアクセスするのを禁止するビデオレコーダ。
【請求項２】
前記予約管理部は、前記ネットワークに接続された１以上の放送受信機へ前記録画予約情報に基づく予約照会情報を送出し、前記放送受信機から前記放送番組が受信可能かどうかに関する回答情報を受け取り、前記回答情報に基づいて、前記放送受信機が受信すべき放送に関する受信予約設定情報を確定し、前記放送受信機へ前記受信予約設定情報を送出する請求項１に記載のビデオレコーダ。
【請求項３】
前記録画予約情報は、あらかじめ情報記録媒体に記録されており、前記記録ドライブが前記情報記録媒体の予約情報を読み出し、前記予約管理部へ送出する請求項２に記載のビデオレコーダ。
【請求項４】
前記情報記録媒体は光ディスクである請求項１から３のいずれかに記載のビデオレコーダ。
【請求項５】
放送を受信するチューナおよび放送番組の受信予約を行う予約管理部を備えた１以上の第１のサーバと、
前記第１のサーバとネットワークにより接続された請求項２または３に規定されるビデオレコーダを含む第２のサーバと、
を含むビデオサーバシステム。
【請求項６】
前記第１のサーバは、前記放送番組のデータを圧縮する圧縮部をさらに備え、
前記第２のサーバが送出する受信予約設定情報に含まれる前放送番組の録画レートが前記第１のサーバのチューナが受信する放送番組の転送レートより低い場合、前記第１のサーバは、前記放送番組の画質レートが前記受信予約設定情報の画質レートとなるように前記放送番組のデータを圧縮して前記ネットワークへ送出する請求項５に記載のビデオサーバシステム。
【請求項７】
前記第１のサーバは、
前記チューナにより受信する放送番組を記録するための記録ドライブと、
暗号鍵を生成し、前記暗号鍵を用いて前記放送番組のデータを暗号化する暗号部と、
をさらに備え、
前記第２のサーバが送出する受信予約設定情報に含まれる前放送番組の録画レートが前記第１のサーバのチューナが受信し得る前放送番組の転送レートより低い場合、前記第１のサーバは、前記暗号鍵を用いて前記放送番組のデータを暗号化し、暗号化された放送番組のデータを前記記録ドライブに記録し、前記暗号鍵が前記圧縮された情報とともに前記情報記録媒体へ記録されるよう、前記暗号鍵を前記ネットワークを介して前記第２のサーバへ送出する請求項６に記載のビデオサーバシステム。
【請求項８】
前記第１のサーバは、タイマをさらに備え、前記タイマの計時に基づき、前記暗号化された放送番組のデータが前記記録ドライブに記録された後、所定の時間経過後に前記記録ドライブの暗号化された放送番組のデータを削除する請求項７に記載のビデオサーバシステム。
【発明の詳細な説明】
【技術分野】
【０００１】
本発明は交換可能な情報記録媒体に記録を行う記録ドライブを備えたビデオレコーダおよびそのようなビデオレコーダがネットワークで接続されたビデオサーバシステムに関する。
【背景技術】
【０００２】
近年、ビデオテープレコーダに替わる映像記録装置として、記録型ＤＶＤ等のディスク状の光学的記録媒体（以下、光ディスクと呼ぶ）を用いた光ディスクレコーダが普及しつつある。光ディスクは、デジタル化された映像情報や音声情報を記録するための平面状のデータ記録面を有し、記録および再生を行う光ヘッドは、データ記録面の任意の位置へ数秒以内にアクセスすることができる。このため、光ディスクに複数の映像情報が記録されていても任意の映像情報を短時間で再生することができる。また、記録媒体である光ディスクは交換することができるため、光ディスクレコーダに記録容量の制限はない。こうした光ディスクの特徴を生かした新しい技術が提案されている。
【０００３】
たとえば、特許文献１は、光ディスクに番組録画予約に関する情報を記録することを提案している。光ディスクに番組録画予約に関する情報が記録されている場合、光ディスクレコーダは挿入された光ディスクからその情報を読み取り、読み取った情報に基づいて、内蔵のＴＶチューナーおよび光ディスクドライブが予約された時間に所定の番組を録画するよう、タイマ予約を行う。
【０００４】
予約後、予約を行った光ディスクレコーダから光ディスクを取り出しても、予約情報は取り出した光ディスクに固定されている。このため、取り出した光ディスクを他の光ディスクレコーダに挿入すると、その光ディスクレコーダは、光ディスクに記録された予約情報を読み取り、読み取った情報に基づいて、挿入された光ディスクに対する番組の予約を行うことができる。この技術によれば、番組録画の予約は光ディスクに記録された情報に基づいて行われるので、他の光ディスクレコーダにおいて再度、番組録画の予約を行う必要がなくなる。
【０００５】
また、光ディスクは、コンピュータの記録媒体としても利用されており、コンピュータシステムとデータをやり取りすることが容易である。このため、特許文献２は光ディスクを交換可能な大容量記録媒体とし、複数の光ディスクレコーダを、ネットワークで接続することによりいわゆる分散型サーバとして機能させることを提案している。さらに、特許文献３は、ＴＶ番組の録画に特殊化した形態として、ネットワーク上の他の機器のチューナを利用し、複数のチャンネルの番組を同時に録画することが可能なシステムを開示している。このような分散型サーバにおいて、レコーダの数が増えると、同じレコーダやチューナにアクセスが集中し、コンピュータネットワークと同様、いわゆるトラフィック問題が発生する。特許文献４はこの問題を解決する方法を提案している。
【特許文献１】特開平１１−２６００４３号公報
【特許文献２】特開平１２−９０５７５号公報
【特許文献３】特開平１３−２６８４６１号公報
【特許文献４】特開平１４−０７７７４５号公報
【発明の開示】
【発明が解決しようとする課題】
【０００６】
コンピュータネットワークの場合、情報記録媒体にはハードディスクドライブが用いられる。ハードディスクドライブは、一般に大きな記録容量を有し、また、交換可能ではない。このため、ハードディスクドライブに蓄積された情報は、ネットワークに接続されたコンピュータにより管理することが可能である。
【０００７】
しかし、光ディスクレコーダを用いたビデオサーバの場合、記録媒体である光ディスクは交換可能であるため、第三者によって、光ディスクが突然イジェクトされる可能性がある。具体的には、第１のユーザが自分で管理している光ディスクレコーダに、記録可能な光ディスクを装填した状態で放置した場合、第２のユーザがネットワークを介して、その光ディスクレコーダの光ディスクに番組を録画するよう、録画予約を割り当てる可能性がある。この場合において、第１のユーザが光ディスクを光ディスクレコーダから取り出すと、第２のユーザによって行われた録画予約は実行できない。また、単に録画予約が実行できないだけではなく、光ディスクレコーダが動作不能となることによって、光ディスクレコーダへネットワークを介して他の機器がアクセスしようとしても適切な応答が得られず、ネットワーク障害を引き起こす可能性もある。
【０００８】
本発明は、このような課題を解決し、情報記録媒体の交換性による利点を保ちながらネットワークを介して放送番組の録画を行うことのできるビデオレコーダおよび、ビデオサーバシステムを提供することを目的とする。
【課題を解決するための手段】
【０００９】
本発明の、ビデオレコーダは、ネットワークに接続可能なビデオレコーダであって、放送番組の録画予約情報を管理する予約管理部と、交換可能な情報記録媒体に記録を行う記録ドライブであって、前記放送番組のデータを前記情報記録媒体に記録する記録ドライブと、前記予約管理部および前記記録ドライブを制御するコントローラとを備え、前記コントローラは、前記記録ドライブに前記情報記録媒体が装填されており、前記放送番組のデータを前記記録ドライブが記録を行うよう設定されている場合には、前記記録ドライブへネットワークを介して他の機器がアクセスするのを禁止する。
【００１０】
ある好ましい実施形態において、前記予約管理部は、前記ネットワークに接続された１以上の放送受信機へ前記録画予約情報に基づく予約照会情報を送出し、前記放送受信機から前記放送番組が受信可能かどうかに関する回答情報を受け取り、前記回答情報に基づいて、前記放送受信機が受信すべき放送に関する受信予約設定情報を確定し、前記放送受信機へ前記受信予約設定情報を送出する。
【００１１】
ある好ましい実施形態において、前記録画予約情報は、あらかじめ情報記録媒体に記録されており、前記記録ドライブが前記情報記録媒体の予約情報を読み出し、前記予約管理部へ送出する。
【００１２】
ある好ましい実施形態において、前記情報記録媒体は光ディスクである。
【００１３】
本発明のビデオサーバシステムは、放送を受信するチューナおよび放送番組の受信予約を行う予約管理部を備えた１以上の第１のサーバと、前記第１のサーバとネットワークにより接続された上記ビデオレコーダを含む第２のサーバとを含む。
【００１４】
ある好ましい実施形態において、前記第１のサーバは、前記放送番組のデータを圧縮する圧縮部をさらに備え、前記第２のサーバが送出する受信予約設定情報に含まれる前放送番組の録画レートが前記第１のサーバのチューナが受信する放送番組の転送レートより低い場合、前記第１のサーバは、前記放送番組の画質レートが前記受信予約設定情報の画質レートとなるように前記放送番組のデータを圧縮して前記ネットワークへ送出する。
【００１５】
ある好ましい実施形態において、前記第１のサーバは、前記チューナにより受信する放送番組を記録するための記録ドライブと、暗号鍵を生成し、前記暗号鍵を用いて前記放送番組のデータを暗号化する暗号部とをさらに備え、前記第２のサーバが送出する受信予約設定情報に含まれる前放送番組の録画レートが前記第１のサーバのチューナが受信し得る前放送番組の転送レートより低い場合、前記第１のサーバは、前記暗号鍵を用いて前記放送番組のデータを暗号化し、暗号化された放送番組のデータを前記記録ドライブに記録し、前記暗号鍵が前記圧縮された情報とともに前記情報記録媒体へ記録されるよう、前記暗号鍵を前記ネットワークを介して前記第２のサーバへ送出する。
【００１６】
ある好ましい実施形態において、前記第１のサーバは、タイマをさらに備え、前記タイマの計時に基づき、前記暗号化された放送番組のデータが前記記録ドライブに記録された後、所定の時間経過後に前記記録ドライブの暗号化された放送番組のデータを削除する。
【発明の効果】
【００１７】
本発明によれば、ビデオレコーダが録画予約状態にあるときには、ネットワークに接続された他の機器からのアクセスが禁止されるため、記録媒体がビデオレコーダから取り外されても、ネットワーク障害となるような取り外された記録媒体へのアクセスが禁止される。このため、記録媒体が交換できるという利点を生かしつつ、適切なネットワーク接続を維持することができる。
【発明を実施するための最良の形態】
【００１８】
（第１の実施形態）
図１は、本発明のビデオサーバシステム３００の構成を示すブロック図である。ビデオサーバシステム３００は、第１のサーバ１１、１２および第２のサーバ１０とを含む。第１のサーバ１１、１２および第２のサーバ１０は、それぞれネットワーク１００に接続可能なインターフェースを備えており、相互にデータを送受することができる。本実施形態では、ビデオサーバシステム３００は、第１のサーバ１１、１２を含んでいるが、第１のサーバを１つ以上含んでおればよい。
【００１９】
第１のサーバ１１、１２は、それぞれ放送番組を受信する放送受信機として機能する。第１のサーバ１１は、チューナ１１１と、タイマ１１２と、予約管理部１１３とを備えている。チューナ１１１は、指定されたチャンネルの放送を選択的に受信する。本実施形態ではチューナ１１１は同一時刻に２以上の放送を受信することはできない。タイマ１１２は時刻を計測する。予約管理部１１３は、チューナ１１１によって、どのチャンネルの放送をいつ受信すべきかを管理する。番組は、放送チャンネルおよび放送日時、時刻によって特定されるので、受信すべき番組を管理するとも言える。この情報を受信予約設定情報と呼び、予約管理部１１３は、この受信予約設定情報を格納している。予約管理部１１３はタイマ１１２を参照し、受信予約設定情報で指定される時刻に指定されるチャンネルに放送される所定の番組を受信するようにチューナ１１１に指令を送出する。受信予約設定情報は、第１のサーバ１１に備えられたパーソナルコンピュータなどにより入力されてもよいし、ネットワーク１００を介して他の機器から入力されてもよい。
【００２０】
また、予約管理部１１３は、ネットワーク１００を介して他の機器から予約照会情報を受け取る。本実施形態では、他の機器は第２のサーバ１０である。予約照会情報は、ネットワーク１００を介して他の機器へ送出すべき放送番組のデータ、つまり、放送チャンネルおよび放送日時に関する情報を含む。予約管理部１１３は、予約照会情報を受け取った場合、格納している受信予約設定情報を参照して、予約照会情報で指定される日時において、受信予約が設定されておらず、チューナ１１１が利用可能であるかどうかを示す回答情報を他の機器へ送出する。
【００２１】
第１のサーバ１２も第１のサーバ１１と同様、チューナ１２１と、タイマ１２２と、予約管理部１２３とを備えている。これらは第１のサーバ１１の対応する要素と同様の機能を備えている。第１のサーバ１１のチューナ１１１と第１のサーバ１２のチューナ１２１とは、同じ規格の放送を受信してもよいし、異なる規格の放送を受信してもよい。また、放送が放送事業者と契約あるいは登録を行っているユーザとのみ視聴可能なように制限が施されている場合には、チューナ１１１およびチューナ１２１には、そのような契約あるいは登録に基づき、視聴制限を解除する機能が付加されていてもよい。本実施形態では、チューナ１１１およびチューナ１２１は同じ規格の放送、具体的には、ＳＤ（Standard Definition）規格の放送を受信する。
【００２２】
第２のサーバ１０は、記録ドライブ４と、タイマ２と、予約管理部３と、コントローラ７とを備えており、記録ドライブを備えたビデオレコーダとして機能する。
【００２３】
記録ドライブ４には、交換可能な記録媒体１が装填され、記録媒体１に情報が記録される。記録ドライブ４は、たとえば、光ディスクを用いた光ディスクドライブ、不揮発性メモリを用いたメモリドライブ、記憶容量が比較的小さく、交換可能なハードディスクドライブなどにより構成される。本実施形態では、記録媒体１として光ディスクを用いる光ディスクドライブを記録ドライブ４として採用している。
【００２４】
タイマ２は時刻を計測する。予約管理部３は、記録ドライブ４に記録すべき番組の録画予約情報を格納し、管理する。予約管理部３へ格納される録画予約情報ＩＮＦは本実施形態では、記録媒体１にあらかじめ記録されている。しかし、録画予約情報ＩＮＦはインターネットやＴＶ放送において利用できるＥＰＧから取得してもよいし、ユーザがリモコンなどを用いて入力してもよい。また、パーソナルコンピュータなどを用いて入力してもよい。録画予約情報ＩＮＦには、放送チャンネル、録画開始時間、録画終了時間および録画画質に関するビットレート（以下、録画レートと呼ぶ）などが含まれる。ここで、録画レートとは、放送局が設定する番組の転送レートではなく、ユーザが番組をどの程度の鮮明さで録画するかを定める。録画レートは記録ドライブ４や記録媒体１がその録画レートでの記録に対応しているかどうかおよび記録可能な記録媒体１の空き容量にも依存する。
【００２５】
予約管理部３は、また、録画予約情報ＩＮＦに定められる日時および放送チャンネルが利用できる放送受信機がネットワーク１００上にあるかどうかを確認するために、予約照会情報ＴＸをネットワーク１００へ送出する。ネットワーク１００に接続された放送受信機から回答情報を受け取ると、回答情報に基づき、放送受信機に受信予約設定情報を送出する。
【００２６】
コントローラ７は、情報伝送処理などのインターフェースならびに記録ドライブ４、タイマ２、および予約管理部３の制御を行う。また、記録ドライブ４に情報記録媒体１が装填されており、録画予約が設定されている場合には、記録ドライブ４へネットワーク１００を介して他の機器がアクセスするのを禁止する。
【００２７】
つぎに、ビデオサーバシステム３００の動作を説明する。まず、第２のサーバ１０の記録ドライブ４に記録媒体１が装填される。記録媒体１には録画予約情報ＩＮＦが記録されており、記録媒体１が記録ドライブ４へ装填された後、録画予約情報ＩＮＦが記録媒体１から読み出され、予約管理部３へ送出される。予約管理部３は、録画予約情報ＩＮＦに基づいて、予約照会情報を生成し、予約照会情報ＴＸをネットワーク１００へ送出する。図２（ａ）は予約照会情報ＴＸの一例を示している。予約照会情報ＴＸは、放送チャンネル（６ｃｈ）、録画開始時刻（２０：００）、録画終了時刻（２０：５４）および録画レート（８Ｍｂｐｓ）を含んでいる。図２（ａ）では、簡略化のため、日付情報を示していないが、録画開始時刻および録画終了時刻は、日付に関する情報も含んでいる。本実施形態では、予約照会情報ＴＸにおいて指定している録画レートは、第１のサーバ１１および１２において受信する放送の転送レートと等しいものとする。
【００２８】
ネットワーク１００に送出された予約照会情報は、第１のサーバ１１１および第２のサーバ１２により受け取られる。第１のサーバ１１の予約管理部１１３および第１のサーバの予約管理部１２３は、それぞれ格納している受信予約設定情報を参照して、予約照会情報ＴＸで指定される日時において、チューナ１１１、１２１が利用可能であるかどうかを示す回答情報ＡＳ１およびＡＳ２をネットワーク１００を介して第２のサーバ１０へ送出する。図２（ｂ）は回答情報ＡＳ１およびＡＳ２の一例を模式的に示している。たとえば、第１のサーバ１１のチューナ１１１は予約照会情報ＴＸで指定される日時では、１９：００から２０：３５までの間、利用可能であり、第１のサーバ１２のチューナ１２３は２０：１０から２１：１０までの間を利用可能であることを示している。これらの時間帯以外では、第１のサーバ１１のチューナ１１１および第１のサーバ１２のチューナ１２１を利用することはできない。
【００２９】
第２のサーバ１０の予約管理部３は、回答情報ＡＳ１およびＡＳ２を受け取り、回答情報ＡＳ１およびＡＳ２に基づいて、受信予約設定情報ＴＸ１およびＴＸ２を確定する。そして、ネットワーク１００を介して第１のサーバ１１および第１のサーバ１２へ受信予約設定情報ＴＸ１およびＴＸ２を送出する。たとえば、図２（ｃ）に示すように、受信予約設定情報ＴＸ１は、６ｃｈの放送を２０：００から２０：３０の間受信し、受信した情報を８Ｍｂｐｓの転送レートで第２のサーバ１０へ送出するように第１のサーバ１１を動作させる情報を含んでいる。また、受信予約設定情報ＴＸ２は、６ｃｈの放送を２０：３０から２０：５４の間受信し、８Ｍｂｐｓの画像レートで第２のサーバ１０へ送出するように第１のサーバ１２を動作させる設定値を含んでいる。受信予約設定情報ＴＸ１およびＴＸ２を送出することにより、記録ドライブ４への録画予約が完了する。
【００３０】
受信予約設定情報は種々の規則を利用して回答情報に基づき確定することができる。たとえば、予約照会情報ＴＸで指定される日時および時刻に利用できるサーバが複数ある場合、できるだけ利用するサーバが少なくなるように受信予約設定情報を確定してもよい。利用するサーバが少ないほど、占有するサーバの数を少なくすることができる。また、予約照会情報ＴＸで指定される日時および時刻に利用できるサーバが複数ある場合、できるだけ利用するサーバが多くなるように受信予約設定情報を確定してもよい。この場合には、多くのサーバを利用することによって、サーバへの負荷が分散される。また、ネットワークのトラフィックも分散される。
【００３１】
コントローラ７は、記録ドライブ４に情報記録媒体１が装填され、予約管理部３による録画予約が完了すると、ネットワーク１００を介して他の機器が記録ドライブ４へアクセスするのを禁止する。たとえば、アクセスされる記録ドライブ４のプロパティを「再生専用」に自動設定する方法などが考えられる。より具体的には、記録ドライブ４のIDのヘッダ部の所定のフラグビットを変更し、図１に示すように、記録ドライブ４へのアクセスを禁止するフラッグを立てる。
【００３２】
これにより、図３に示すように、第１のサーバ１２を用いて受信予約を行い、また、受信した番組の録画先を第１のサーバ１２から指定するような場合（いわゆるチューナ連動予約）に、第２のサーバ１０の記録ドライブ４を録画先として指定することができなくなる。従って、第三者の予約による番組が記録媒体１に録画されることを防止することができる。また、記録媒体１が取り出された場合に、第２のサーバ１０の記録ドライブ４への他の機器からのアクセスが断たれることによって、ネットワーク１００の障害が発生することを防止できる。
【００３３】
記録ドライブ４へのアクセスの禁止は、たとえば記録ドライブ４あるいは第２のサーバ１０全体を、管理者によってのみ使用可能な領域として指定することによって行ってもよい。
【００３４】
なお、第２のサーバ１０のユーザは、第２のサーバ１０から光ディスク１を取り出すことはできる。しかし、この光ディスク１の取り出しは、ユーザの意図によるものであるから不意にネットワークが切断されるのではなく、ユーザが故意に予約をキャンセルしたものである。パーソナルコンピュータによるネットワークとは異なり、ビデオサーバシステムのようなＡＶネットワークでは、ネットワークに接続されているビデオレコーダなどのサーバのユーザは、固定される傾向にある。このため、第２のサーバ１０に装填された記録媒体１が、第三者によって故意にイジェクトされる頻度は小さいと考えられる。
【００３５】
図４に示すように、録画予約の時刻（２０：００）になると、第１のサーバ１１では、予約管理部３に格納された受信予約設定情報ＴＸ１にしたがってチューナ１１１が６ｃｈの放送を受信し、ネットワーク１００を介して番組データＤＴ１を第２のサーバ１０へ送出する。第２のサーバ１０では、予約管理部１１３に格納された録画予約情報にしたがって記録ドライブ４が番組データＤＴ１を記録する。受信予約設定情報ＴＸ１に指定されている終了時刻になると、第１のサーバ１１のチューナ１１１は、６ｃｈの放送の受信を停止する。続いて、第１のサーバ１２において、予約管理部１２３に格納された受信予約設定情報ＴＸ２にしたがって、チューナ１２１が６ｃｈの放送を受信し、ネットワーク１００を介して番組データＤＴ２を第２のサーバ１０へ送出する。第２のサーバ１０では、受け取った番組データＤＴ２を記録ドライブ４が引き続き記録する。番組データＤＴ１およびＤＴ２は一体的にＤＴとして記録ドライブ４の情報記録媒体１へ記録される。記録が終了すると、第２のサーバ１０の予約管理部３に格納されていた録画予約情報ＩＮＦは消去される。これにともない、コントローラ７は記録ドライブ４へのアクセス禁止を解除する。
【００３６】
このように本実施形態によれば、交換可能な記録媒体へ記録を行う記録ドライブを備えネットワークに接続されたビデオレコーダへネットワークを介して接続された放送受信機を用いて番組の録画を行うことができる。また、ビデオレコーダが録画予約状態にあるときには、ネットワークに接続された他の機器からのアクセスが禁止されるため、記録媒体がビデオレコーダから取り外されても、ネットワーク障害となるような取り外された記録媒体へのアクセスが禁止される。このため、記録媒体が交換できるという利点を生かしつつ、適切なネットワーク接続を維持することができる。
【００３７】
なお、本実施形態において、第２のサーバ１０は、チューナを備えていなかったが、第２のサーバ１０はチューナを備えていてもよい。この場合、第２のサーバ１０のチューナが、録画予約情報により指定される条件を満たす場合には、第２のサーバ１０は、第２のサーバ１０のチューナを利用して録画を行うことができる。また、上述したように、他の機器からアクセスを禁止することにより、ネットワーク障害などを防止することができる。
【００３８】
（第２の実施形態）
第１の実施形態では、ユーザが記録ドライブ４に記録する番組の録画レートと番組の転送レートは一致していた。本実施形態のビデオサーバシステムでは、受信する放送番組の転送レートよりも低いビットレートで記録ドライブに番組を記録し、必要に応じて、もとの転送レートで番組を視聴することができる。たとえば、番組がＨＤ（High Definition）規格で放送されており、記録ドライブ４がＳＤ規格のみに対応し、ＨＤ規格に対応していない場合、あるいは、記録ドライブ４はHD規格に対応していても、長時間録画をしたいなどの理由により、HD規格よりも低いビットレートで録画を行いたい場合に本実施形態は好適に用いることができる。
【００３９】
図５は、本発明によるビデオサーバシステムの第２の実施形態を示すブロック図である。ビデオサーバシステム３１０は、第１のサーバ１３と、第２のサーバ１０とを備え、第１のサーバ１３および第２のサーバ１０はネットワーク１００を介して接続されている。図５では第１のサーバ１２が示されているが、本実施形態では、第１のサーバ１２は使用されない。
【００４０】
第１のサーバ１３は、チューナ１１１と、タイマ１１２と、予約管理部１１３と、圧縮部１３２と、暗号化部１３３と、記録ドライブ１３４とを備えている。本実施形態では、チューナ１１１は、HD規格の放送を受信する。タイマ１１２および予約管理部１１３は第１の実施形態のタイマ１１２および予約管理部１１３と同様に機能する。
【００４１】
圧縮部１３２は、予約管理部１１３に格納されている受信予約設定情報ＴＸ１で指定される録画レートとなるように、チューナ１１１で受信した番組データを圧縮する。本実施形態の場合、ＨＤ規格の番組データを再エンコード法により、ＳＤ規格の番組データに変換（ダウンコンバート）する。より具体的には、圧縮部１３２は、受信したＨＤ規格の番組データを非圧縮の情報にまずデコードする。次に、このデコードされた情報を、さらに圧縮率を高めたエンコードを実行し、ＳＤ規格の情報に符号化する。圧縮部１３２は、情報量が小さくなるように情報を変換する限り、他の方法やアルゴリズムを用いて情報を変換してもよい。たとえば、受信する番組の規格と受信予約設定情報とは同じ規格であるが、ビットレートのみが小さくなるよう圧縮部１３２は番組データをトランスコードしてもよい。
【００４２】
暗号化部１３３は、所定の暗号鍵Ｘを生成し、暗号鍵Ｘをネットワーク１００を介して第２のサーバ１０へ送出する。また、チューナ１１１で受信した番組のデータを暗号鍵Ｘによって暗号化し、暗号化された情報を記録ドライブ１３４へ送出する。ここで、暗号鍵Ｘは、放送業者もしくはコンテンツプロバイダーによって予め付加されているもの（例えばＣＰＲＭ、Content Protection for Recordable Media）を意味していない。暗号鍵Ｘは、以下で説明するように第１のサーバ１３と第２のサーバ１０との間でのみ取り決められ使用される。暗号鍵Ｘは種々の方法により生成させることができる。たとえば、暗号化部１３３において、乱数を発生させ、暗号鍵Ｘとしてもよい。日付や時刻などの情報に基づいて、暗号鍵Ｘを生成してもよい。また、暗号鍵Ｘを受信した放送番組データの先頭数ビットそのものとしてもよい。あるいは、暗号化部１３３における暗号化は、適当な暗号鍵Ｘを基底にスクランブルをかけたものでもよい。また、ＤＥＳ（Data Encryption Standard）やＡＥＳ（Advanced Encryption Standard）規格に準拠したものであってもよい。
【００４３】
記録ドライブ１３４は、たとえば、ハードディスクドライブなど容量の大きい記録装置によって構成される。
【００４４】
第１のサーバ１３は好ましくは、復号部１３６をさらに備える。複合部１３６は、暗号鍵Ｘを用いて、暗号化された情報を復号化する。
【００４５】
次にビデオサーバシステム３１０の動作を説明する。ビデオサーバシステム３１０において、録画予約を行う手順は第１の実施形態と同様である。予約された録画の時刻になると、まず第１のサーバ１３において、受信予約設定情報にしたがい、チューナ１１１が放送番組を受信する。チューナ１１１で受信された放送の転送レートは、受信予約設定情報で指定される転送レートより大きいので直接ネットワーク１００へは送出されず、圧縮部１３２へ送られる。圧縮部１３２は、受信した放送の情報を、受信予約設定情報で指定される画質レートとなるように圧縮し、圧縮された放送番組のデータＤＴＸがネットワーク１００を介して第２のサーバ１０へ送出される。
【００４６】
暗号化部１３３は、所定の暗号鍵Ｘを生成し、ネットワーク１００を介して第２のサーバ１０へ送出する。また、暗号鍵Ｘを用いてチューナ１１１から受け取った圧縮されていない番組のデータを暗号化する。記録ドライブ１３４は、暗号化された番組データＳＴＸを記録する。
【００４７】
第２のサーバ１０は、暗号鍵Ｘおよび圧縮された放送番組データＤＴＸを記録媒体１へ記録する。これにより、予約された録画が完了する。図５に示すように、記録媒体１には、放送された規格転送レートよりも低いレートで記録された番組データＤＴＸが記録されている。また、第１のサーバ１３の記録ドライブ１３４には、放送された規格と同じ転送レート、つまり高いレートで番組データＳＴＸが記録されている。しかし、番組データＳＴＸは暗号鍵Ｘを用いて暗号化されており、暗号鍵Ｘは、第２のサーバ１０の記録媒体１にのみ記録されている。このため、第１のサーバ１３に記録されている番組データＳＴＸは、視聴することができない。つまり、ビデオサーバ３１０において、受信した番組が視聴可能な状態で記録されているのは、第２のサーバ１０のみである。
【００４８】
記録媒体１は、第１の実施形態で説明したように、交換可能な媒体であるので、番組データＤＴＸが記録された記録媒体１を記録ドライブ４から取り出し、他の機器に記録媒体１を装填すれば、第２のサーバ１０とは異なる場所、あるいは、ネットワーク１００に接続されていない他の機器を用いて記録された番組データＤＴＸを再生することが可能である。
【００４９】
録画した番組を放送時の高いビットレートの画質で視聴する場合には、コントローラ３により、第２のサーバ１０から、ネットワーク１００を介して第１のサーバ１３へ暗号鍵Ｘを送出する。記録媒体１を、記録媒体１に対応したドライブを備える他の機器からネットワーク１００を介して第１のサーバ１３へ送出してもよい。暗号鍵Ｘを送出後、コントローラ７は、記録ドライブ４へ暗号鍵Ｘおよび番組データＤＴＸを削除する指令ＤＥＬを送出する。これにより、記録媒体１に記録された暗号鍵Ｘおよび番組データＤＴＸが消去される。なお、暗号鍵Ｘおよび番組データＤＴＸの消去は、暗号鍵Ｘおよび番組データＤＴＸが記録媒体１から読み出せないように、暗号鍵Ｘおよび番組データＤＴＸを無効化してもよい。
【００５０】
第１のサーバ１３は、復号化部１３６において、受け取った暗号鍵Ｘを用いて暗号化された番組データＳＴＸを復号し、番組データＳＴＸ’を生成する。生成した番組データＳＴＸ’はネットワーク１００を介して他の機器へ送し、番組データＳＴＸ’を視聴することができる。あるいは、番組データＳＴＸ’を記録ドライブ１３４へ記録してもよい。ネットワーク１００へ送出する場合であっても記録ドライブ１３４へ記録する場合であっても、番組データＳＴＸ’の生成後、暗号化された番組データＳＴＸは消去される。これにより、録画した番組を放送時の高いビットレートの画質で番組データＳＴＸ’を再生し、視聴することができる。このとき、記録媒体１に記録されていた番組データＤＴＸは消去されており、番組データＤＴＸを再生して視聴することはできない。
【００５１】
このようにビデオサーバシステム３１０において、受信した放送番組は、２つ以上、視聴可能な状態では記録されていない。つまり、放送番組のコピーは行われない。このため、ビデオサーバシステム３１０において、適切なコピー管理を行うことができる。
【００５２】
なお、上述したようにビデオサーバシステム３１０において、第２のサーバ１０に放送番組の記録を行うたびに、第１のサーバ１３の記録ドライブ１３４には、暗号化された番組データが記録、蓄積される。このため、記録ドライブ１３４の記録可能な容量が低下してしまう。このことが問題となる場合には、タイマ１１２を利用して所定の時間が経過した後、暗号化された情報ＳＴＸを削除してもよい。情報ＳＴＸを削除するまでの時間は、ユーザの使用状況や記録ドライブの容量など種々の条件を考慮して決定される。たとえば、暗号化された番組データを記録ドライブ１３４へ記録後、数週間経過しても、上述したように暗号鍵Ｘを用いてもとの情報ＳＴＸ’への復号がなされない場合には、記録媒体１に番組を記録することによってユーザの目的は達せられたと考えられる。この場合には、タイマ１１２の計時に基づき、暗号化された番組データＳＴＸを消去すればよい。これにより、記録ドライブ１３４の容量が低減するのを防止することができる。
【産業上の利用可能性】
【００５３】
本発明は、光ディスクなどの交換可能な記録媒体に記録が可能であり、ネットワークへ接続可能な種々のレコーダに好適に用いられる。また、そのようなレコーダや放送チューナが接続されたホームＡＶサーバおよびホームＡＶサーバを用いたサーバシステムに好適に用いられる。
【図面の簡単な説明】
【００５４】
【図１】本発明によるビデオサーバシステムの第１の実施形態を示すブロック図である。
【図２】（ａ）から（ｃ）は、録画の予約に用いられる情報を説明する図である。
【図３】第２のサーバの記録ドライブへのアクセスを禁止する動作を説明する模式図である。
【図４】第１の実施形態のビデオサーバシステムにおいて、受信時の番組データの流れを示すである。
【図５】本発明によるビデオサーバシステムの第２の実施形態を示すブロック図である。
【符号の説明】
【００５５】
１    情報記録媒体
２，１１２、１２１    タイマ
３、１１３、１２３    予約管理部
４、１３４    記録ドライブ
７  コントローラ
１０  第２のサーバ
１１、１２、１３    第１のサーバ
１１１、１２１    チューナ
１３２    圧縮部
１３３    暗号化部
１３６    復号化部
【図１】
2005149700.tif 000003
【図２】
2005149700.tif 000004
【図３】
2005149700.tif 000005
【図４】
2005149700.tif 000006
【図５】
2005149700.tif 000007